(57)【要約】【課題】経文のような、一般の人に理解が困難な内容を含む文書を、少なくとも誰にでもどの部分が再生されているのかを分かり易く表示可能な書籍を提供する。【解決手段】ユーザが電子書籍の操作部から再生キーを押すと、再生部は文章を再生する（Ｓ１１）。音声がスピーカから出力され（Ｓ１２）、文章が表示部に表示される。このとき、文章は行に分けて表示され、各行の上に○のマークが表示される。音声が再生されている文章において、再生されている行について、その上に設けられた○のマークが点灯する（Ｓ１３）。したがって、文章における音声の再生箇所を容易に知ることができる。【選択図】図３
2012133330.tif 000002
【特許請求の範囲】
【請求項１】
文章を表示する文章表示部と、
前記文章表示部に表示された文章を、音声を用いて再生する音声再生部と、
前記音声再生部で再生されている文章の音声に対応する部分が前記文章表示部に表示さ
れている文章のどの部分に位置するのかを示す再生位置表示部とを含む、書籍。
【請求項２】
前記文章表示部は第１文章表示部と第２文章表示部とを含み、前記再生位置表示部は前記
音声再生部が再生している文章の音声に対応する部分が、前記第１文章表示部と前記第２
文章表示部のいずれであるかを表示する、請求項１に記載の書籍。
【請求項３】
前記文章表示部は再生される文章を複数の行に分割して表示し、前記再生位置表示部は前
記音声再生部が再生している文章の音声に対応する前記分割された行を特定するように表
示する、請求項１に記載の書籍。
【請求項４】
前記文章表示部は再生される文章をそのまま表示し、前記再生位置表示部は前記音声再生
部が再生している文章の音声に対応する部分を特定するように表示する、請求項１に記載
の書籍。
【請求項５】
前記文章表示部に表示された文章の一部を特定する指定手段を含み、
前記指定手段によって文章の一部を指定した時は、前記文章表示部は前記指定された文
章の一部の意味を表示する、請求項１〜４のいずれかに記載の書籍。
【発明の詳細な説明】
【技術分野】
【０００１】
この発明は音声を出力可能な書籍に関し、特に、難解な内容を音声で出力可能な書籍に
関する。
【背景技術】
【０００２】
従来、特開２００４−１５９８９３号公報（特許文献１）に示すように経文を唱える読
経装置が提供されている。この読経装置は、上面に蓋体が取り付けられる本体ケースに、
お経などの音声データが記憶されたメモリと、メモリ３１に記憶された音声データを出力
するスピーカ５と、音声データに対応する経文などを記した書面部９とを備え、スピーカ
５を本体ケース１の底面から発声するように配置し、蓋体４にスピーカ５からの発声が妨
げられないように本体ケース１を傾斜した状態に保持する係止部４ｂを備えたものである
。
【先行技術文献】
【特許文献】
【０００３】
【特許文献１】特開２００４−１５９８９３号公報
【発明の概要】
【発明が解決しようとする課題】
【０００４】
特許文献１によって出力される経文は一般の人が法事や葬儀等でなじみのあるものでは
あるが、現実には、読経中でも、現在どの箇所が読まれているのか、とか、経文の意味は
、となると、一般の人には分からない。したがって、聞いていても、フラストレーション
を感じる場合がある。
【０００５】
この発明は上記のような問題点を解消するためになされたもので、経文のような、一般
の人に理解が困難な内容を含む文書を、少なくとも誰にでもどの部分が再生されているの
かを理解させることが可能な書籍を提供することを目的とする。
【課題を解決するための手段】
【０００６】
この発明に係る書籍は、文章を表示する文章表示部と、文章表示部に表示された文章を
、音声を用いて再生する音声再生部と、音声再生部で再生されている文章の音声に対応す
る部分が文章表示部に表示されている文章のどの部分に位置するのかを示す再生位置表示
部とを含む。
【０００７】
文章表示部は第１文章表示部と第２文章表示部とを含み、再生位置表示部は音声再生部
が再生している文章の音声に対応する部分が、第１文章表示部と第２文章表示部のいずれ
であるかを表示してもよい。
【０００８】
また、文章表示部は再生される文章を複数の行に分割して表示し、再生位置表示部は音
声再生部が再生している文章の音声に対応する分割された行を特定するように表示しても
よい。
【０００９】
さらに、文章表示部は再生される文章をそのまま表示し、再生位置表示部は音声再生部
が再生している文章の音声に対応する部分を特定するように表示してもよい。
【００１０】
文章表示部に表示された文章の一部を指定する指定手段を含み、指定手段によって文章
の一部を指定した時は、指定された文章の一部の意味を表示するのが好ましい。
【発明の効果】
【００１１】
文章を、音声を用いて再生可能な音声再生部を有する書籍にＬＥＤ表示部を設け、再生
されている文章の音声に対応する部分が表示されている文章のどの部分に位置するのかを
示すようにしたため、経文のような、一般の人に理解が困難な内容を含む文章において、
誰でもどの部分が再生されているのかを理解できる。
【図面の簡単な説明】
【００１２】
【図１】この発明の一実施の形態に係る電子書籍を示す斜視図である。
【図２】電子書籍の要部の構成を示すブロック図である。
【図３】電子書籍のＣＰＵの動作を示すフローチャートである。
【図４】この発明の他の実施の形態に係る書籍を示す斜視図である。
【図５】書籍の要部の構成を示すブロック図である。
【図６】書籍のＣＰＵの動作を示すフローチャートである。
【図７】この発明のさらに他の実施の形態に係る書籍を示す斜視図である。
【発明を実施するための形態】
【００１３】
以下、この発明の一実施の形態を、図面を参照して説明する。図１はこの発明を電子書
籍に適用した場合の電子書籍の全体を示す模式的斜視図である。図１を参照して、電子書
籍１０は、例えば液晶で構成された表示部（文章表示部）１１と、表示部１１の下部に設
けられ、ユーザの操作を受付ける操作部１２と、音声を出力するスピーカ１３と、表示部
１１で表示する文書データを有するＣＤのようなディスクを再生するために挿入する、デ
ィスク挿入部１４とを含む。操作部１２は、挿入されたディスクの再生を指示する再生キ
ー１２ａと再生の停止を指示する停止キー１２ｂと、ユーザの要求に応じて必要な表示を
行なう表示キー１２ｃとを含む。
【００１４】
図２は図１に示した電子書籍の機能の要部の構成を示すブロック図である。図２を参照
して、電子書籍１０は、電子書籍１０全体を制御するＣＰＵ２１と、上記した表示部１１
および操作部１２と、ハードディスク等の記憶部２３と、スピーカのような音声出力部２
４と、ディスク等を再生する再生部（音声再生部）２５と、ユーザからのキー入力を受付
ける入力部２６とを含む。記憶部２３はディスク挿入部１４から挿入されたディスクの記
録内容を記憶してもよいし、外部からネットワークを介して再生データを入力して記憶し
てもよし、他の記録媒体（たとえばＵＳＢメモリ）を装着可能とし、そのデータを格納し
てもよい。
【００１５】
次に、電子書籍１０のＣＰＵ２１が行なう動作について説明する。図３はＣＰＵ２１が
行なう動作を示すフローチャートである。ここでは、予め経文としての般若心経の文章データが記憶部２３に格納されており、それを再生する場合について説明する。なお、再生される文章については、予め、再生可能な文章が表示部１１に表示され、ユーザはその中から選択可能であるものとする。
【００１６】
図１〜３を参照して、ユーザが電子書籍１０の操作部１２から再生キー１２ａを押すと
、再生部２５は「般若心経」を再生する（図３においてステップＳ１１、以下、ステップ
を省略）。音声がスピーカ１３から出力され（Ｓ１２）、文章が表示部１１に表示される
。図１に示すように、表示部１１には文章が表示される。このとき、文章は行に分けて表
示され、各行の上に○のマーク１１ａが表示される。この実施の形態においては、音声が
再生されている文章において、再生されている行について、その上に設けられた○のマー
クが点灯する（または、他のマークと異なる色で表示される）（Ｓ１３）。したがって、
この実施の形態においては、文章における音声の再生箇所を容易に知ることができる。
【００１７】
この場合、マーク１１ａが再生位置表示部として作動する。
【００１８】
なお、再生されている文章のデータにおいて、行が変わる箇所には予め行替え信号が挿
入されており、この信号をＣＰＵ２１が検出して○のマークが点灯する。この信号を超音
波信号とし、超音波信号を検出する超音波信号検出装置を設け、それを用いて行替えを検
出してもよい。
【００１９】
また、経文を聞いている時に、意味不明な箇所（単語、文章等）があったときは、その
箇所をたとえば、手で押圧して特定すると（Ｓ１４）、その部分の色が反転し、押圧され
た箇所が選択され、その意味が表示部１１に経文に重ねて別のウインドウが開いて表示さ
れる（Ｓ１５）。この状態を図１を参照して説明する。図１において、例えば、「無有恐
怖」という箇所の意味が分からないとする。ユーザはこの部分を手で押すと、図中実線で
囲んで示すように、この箇所が選択され、該当箇所の色が反転する。この状態で、表示キ
ー１２ｃを押すと、この箇所が指定されてその意味が表示される。音声の再生が終了する
か、または、ユーザが音声の再生の停止キー１２ｂを入力すると（Ｓ１６でＹＥＳ）、処
理は終了する。
【００２０】
ここで、ＣＰＵ２１は指定手段として作動する。
【００２１】
なお、上記実施の形態においては、文章の再生箇所の上に設けられた○マークで音声の
再生箇所を明示する場合について説明したが、これに限らず、音声の再生箇所の色が順次
変更されるようにしてもよい。たとえば、図１において、「観自在…」という文章が再生
されると、その部分（図中一点鎖線で示す）の色が例えば赤色に変更されて表示される。
なお、文章全体の表示は元は黒であるものとする。
【００２２】
以上のように、この実施の形態においては、経文のような、聞いてもよく理解できない
文章における再生箇所が○マークや、他の部分と異なる色で表示されるため、ユーザは、
再生箇所を容易に理解できる。また、意味が不明な箇所を選択すると、その部分の意味が
表示されるため、ユーザは文章（経文）を聞きながら、その内容を理解できる。
【００２３】
次に他の実施の形態について説明する。上記実施の形態においては、電子書籍にこの発
明を適用した例について説明したが、これに限らず、一般の紙等に印刷された書籍に適用
してもよい。
【００２４】
図４はこの場合の書籍を開いた状態の書籍の全体構成を示す斜視図である。図４を参照
して、書籍３０は通常の書籍のような印刷された紙で構成された文章部３１と、文章部３
１の下部に設けられた表示処理部４０とを含む。この実施の形態においては、書籍３０は
通常の書籍と同様に表側表紙３２と裏側表紙３３とを含み、操作部４０は表側表紙３２に
、その内部に納まるように設けられる。なお、裏表紙３３側に設けてもよいし、両表紙に
設けてもよい。なお、図４において大きな○印は文字を表す。
【００２５】
表示処理部４０は、直方体状であり、その表面にユーザからの指示を受付けるキーが設
けられているとともに、その内部に各種機能を有する部分が設けられている。
【００２６】
図４に示すように、キーとしては、再生の指示を受付ける再生キー４０ａと、再生の停
止を指示する停止キー４０ｂと、ユーザの要求に応じてＬＥＤ４４ｅ，４４ｆを点灯する
か否かを選択する点灯キー４０ｃと、再生する文章を選択する選択キー４０ｄとを含む。
なお、ＬＥＤ４４ｅ、４４ｆは表示処理部４０の受付キー４０ａ〜４０ｄの上方向の端部
にそれぞれが設けられている。
【００２７】
図５は図４に示したこの実施の形態における書籍の機能の要部の構成を示すブロック図
である。図５を参照して、書籍３０は、表示処理部４０の全体を制御するＣＰＵ４１と、
キー４０ａ〜４０ｄの入力を受付けるキー入力部４２と、ハードディスク等の記憶部４３
と、記憶部に記憶された文章データを再生する再生部４４と、再生された文章データを音
声として出力する音声出力部４５と、ＬＥＤ４４ｅ，４４ｆの点灯、非点灯を制御するＬ
ＥＤ制御部４６とを含む。なお、表示処理部４０には、図示のない、外部から文章データ
を入力する入力処理部が設けられているものとする。なお、ここでは、音声出力部４５は
イヤフォンである。
【００２８】
次に、表示処理部４０のＣＰＵ４１が行なう動作について説明する。図６はＣＰＵ４１
が行なう動作を示すフローチャートである。ここでも、予め般若心経の文章データが記憶
部４３に格納されており、それを再生する場合について説明する。なお、書籍３０を図４
に示すように開くと、自動的に再生可能な文章の頭出しが自動的に行なわれて、数秒間づ
つ再生され、再生中に選択キー４０ｄを押すことによって再生すべき文章が選択されるも
のとする。また、点灯キー４０ｃは押されているものとする。
【００２９】
図４〜６を参照して、ユーザが書籍３０を開き、所望の文章を選択する。ユーザが再生
キー４０ａを押すと、再生部４４は「般若心経」を再生する（Ｓ２１）。音声がイヤフォ
ン４３から出力され（Ｓ２２）、文章が音読される。図４に示すように、表示処理部４０
にはその左右の上端部にＬＥＤ４４ｅと４４ｆとが設けられている。再生されている文章
が書籍の左頁３６か、右頁３５かによって、左頁３６であれば、左側に位置するＬＥＤ４
４ｅが点灯し、右頁３５であれば、右側に位置するＬＥＤ４４ｆが点灯する（Ｓ２３）。
この表示によって、ユーザは文章における音声の再生箇所を容易に知ることができる。
【００３０】
音声の再生が終了するか、または、ユーザが音声の再生の停止キー４０ｂを押すと（Ｓ
２４でＹＥＳ）、処理は終了する。
【００３１】
ここで、左右の頁がそれぞれ第１および第２文章表示部として作動し、ＬＥＤ４４ｅと
４４ｆとが再生位置表示部として作動する。なお、いずれの箇所が再生されているかを示
すデータは、先の実施の形態と同様に、音声データに予め設定されているものとする。
【００３２】
次に、図４に示した実施の形態の変形例について説明する。図７はこの変形例を示す書籍の斜視図である。ここでは、書籍の最後のページを示している。
【００３３】
図７を参照して、書籍の基本的な形状および構成は図４〜図６と同様である。以下に、図４等と異なる主な点について説明する。
【００３４】
この書籍においては、表示処理部５０は裏表紙に取り付けられている。表示処理部５０は、表示処理部を駆動させるためのスライド式のスイッチ５１と、スピーカ５２とを含む。表示処理部５０の右側は上下２段に分けられている。上段には、再生箇所を表示する再生箇所表示部５３,５４と、早送りおよび巻き戻しボタン５５，５６と、音量調整ボタン５７，５８とが設けられている。下段には、章ごとの再生の早送りを指示するボタン６１と、再生および一時停止を指示するボタン６０と、章ごとの巻き戻しを指示するボタン５９とが設けられている。また、再生箇所表示部５３,５４等が設けられている上段の左右には左右のいずれのページが再生されているのかを表示するための、左右の再生箇所表示部６３，６４が設けられている。
【００３５】
また、表示処理部５０は所定の厚みを有し、寸法にもよるが、裏表紙の下半分内に収めることもできる。この場合、表示処理部５０の上の空間に、表示処理部５０の厚みを考慮して、例えば、念珠を収納するための収納部６２を設ける。この場合、書籍を閉じたときに、右側に表示された印刷部７０の厚さと収納部６２との厚さを合わせた寸法が表示処理部５０の厚さに合うようにするのが好ましい。このようにすれば、書籍をお経の本としたときに、書籍を用意すれば、お葬式や法事の時に、念珠を失念するという問題は生じない。なお、この収納部６２には、念珠に限らず、書籍に関連する任意のものを収納してもよい。
【００３６】
書籍の右側のページを参照して、ここでは、右ページが上から３つの部分に分割されている。中央部６５には、例えば、経文が表示されている。
【００３７】
次に、書籍の右側に示した印刷部７０について説明する。ここでは、印刷部７０の上下方向の寸法は収納部６２の上下方向の寸法に等しいこが好ましい。印刷部７０は上下方向に３分割されている。ここでは、中央部には経文の本文６５が印刷されている。その下部には、その経文の内容をわかり易く解説した箇所６６が設けられる。この表示は本文６５より小さい文字で表示するのが好ましい。
【００３８】
また、経文の上には、その経文に対応する（再生箇所に対応する）箇所を特定する番号６７が印刷されている。ここで、特定する番号として、章番号と項番号とを含む。図７に示した例においては、右端の経文は章番号が１０で、項番号が１および２である。
【００３９】
この章番号および項番号が表示処理部５０の再生箇所表示部５３および５４に表示される。ここで、章番号および項番号は任意に設定可能である。
【００４０】
なお、上記実施の形態においては、再生箇所の識別を音声データに設定された再生されている箇所を示すデータによって行う場合について説明したが、これは、音声データ（ファイル）にファイル番号を付し、その番号によって再生箇所を識別するようにしてもよい。
【００４１】
なお、上記実施の形態においては、左右２個のＬＥＤの点灯の有無や章や項の番号によって、文章の再生箇所をユーザに知らせるようにしたが、これに限らず、小さな表示部を別途設け、そこに、再生箇所の頁数や行を表示するようにしてもよい。
【００４２】
また、左右のＬＥＤの発光する色を変えて表示してもよいし、頁が変わった時のみに点
灯するようにしてもよいし、該当頁が再生されている間中点灯してもよい。
【００４３】
また、上記実施の形態においては、表示処理部を通常の文章部の下部に設けた場合につ
いて説明したが、これに限らず、上に設けてもよいし、左右頁のいずれか側に文章部を設
け、他方側に表示処理部を設けてもよい。
【００４４】
また、文章の再生中にさらに選択キーを押すことによって再生されている箇所（単語、
または、文章の特定の箇所）が選択されて、再生が一旦中断し、その部分の意味が再生さ
れたり、表示部に表示されるようにしてもよい。
【００４５】
以上、図面を参照してこの発明の実施形態を説明したが、この発明は、図示した実施形
態のものに限定されない。図示された実施形態に対して、この発明と同一の範囲内におい
て、あるいは均等の範囲内において、種々の修正や変形を加えることが可能である。
【産業上の利用可能性】
【００４６】
この発明に係る書籍は音声が再生されるときに、誰でもどの部分が再生されているのか
を理解できるため、書籍として有利に利用される。
【符号の説明】
【００４７】
１０  電子書籍、１１  表示部、１２  操作部、１３  スピーカ、１４  ディスク挿入部
、２１  ＣＰＵ、２３  記憶部、２４  音声出力部、２５  再生部、２６  入力部。
【図１】
2012133330.tif 000003
【図２】
2012133330.tif 000004
【図３】
2012133330.tif 000005
【図４】
2012133330.tif 000006
【図５】
2012133330.tif 000007
【図６】
2012133330.tif 000008
【図７】
2012133330.tif 000009